(57)【要約】【課題】簡単に製造でき、集魚効果の高い人工魚礁を提供する。【解決手段】鋼製の複数の通水ケース１１〜１４の周縁部を連結して形成した人工魚礁１０であって、通水ケース１１〜１４は厚みを有する矩形板状となって、外側の輪郭を形成する矩形の外枠部１５と、内側開口部１６を形成する内枠部１７と、外枠部１５と内枠部１７で形成される部屋１８を表裏からそれぞれ覆う多孔板１９、２０とを有し、しかも、部屋１８内には、３〜２５ｃｍの大きさの多数の充填物２２が充填されて、魚の餌となる生物を棲息させる小生物棲息空間２３が形成されている。【選択図】        図１
2005034032.tif 000002
【特許請求の範囲】
【請求項１】
鋼製の複数の通水ケースの周縁部を連結して形成した人工魚礁であって、
前記通水ケースは厚みを有する矩形板状となって、外側の輪郭を形成する矩形の外枠部と、内側開口部を形成する内枠部と、前記外枠部と前記内枠部で形成される部屋を表裏からそれぞれ覆う多孔板とを有し、しかも、前記部屋内には、３〜２５ｃｍの大きさの多数の充填物が充填されて、魚の餌となる生物を棲息させる小生物棲息空間が形成されていることを特徴とする人工魚礁。
【請求項２】
請求項１記載の人工魚礁において、前記内側開口部は矩形であって、前記外枠部及び前記内枠部は形鋼材で形成されていることを特徴とする人工魚礁。
【請求項３】
請求項１及び２のいずれか１項に記載の人工魚礁において、前記多孔板のいずれか一方は、取り外し可能に形成されていることを特徴とする人工魚礁。
【請求項４】
請求項１〜３のいずれか１項に記載の人工魚礁において、前記部屋内に充填された充填物の５０容積％以上は、ホタテ貝の貝殻又はホタテ貝以外の貝殻からなることを特徴とする人工魚礁。
【請求項５】
請求項１〜３のいずれか１項に記載の人工魚礁において、前記早内に充填された充填物の５０容積％以上は、竹筒、使用済飲料容器及びパイプのいずれか１又は２以上からなる筒状物であることを特徴とする人工魚礁。
【請求項６】
請求項４及び５のいずれか１項に記載の人工魚礁において、前記充填物には、自然石、人工石、瓦及び煉瓦屑のいずれか１又は２以上からなる重し材が含まれていることを特徴とする人工魚礁。
【請求項７】
請求項１〜６のいずれか１項に記載の人工魚礁において、複数の前記通水ケースを正方形状に４つ組しながら水平及び垂直方向に延設されて全体が形成されていることを特徴とする人工魚礁。
【請求項８】
請求項１〜６のいずれか１項に記載の人工魚礁において、複数の前記通水ケースが三角形又は六角形を形成しながら水平及び垂直方向に延設されて全体が形成されていることを特徴とする人工魚礁。
【発明の詳細な説明】
【０００１】
【発明の属する技術分野】
本発明は、簡単に製造でき、集魚効果の高い人工魚礁に関する。
【０００２】
【従来の技術】
従来、魚類は海底の隆起部で魚礁と呼ばれる場所に集まり、この場所は好漁場となっている。魚礁付近は地形に沿って上昇流や下降流が生じ易く、海水の循環が活発となり、深層の栄養塩類が日光の透入する上層まで運ばれる。そのため、上層はプランクトンの繁殖が旺盛となり、これを餌料とする小魚が集まる。更に、それを狙って大形魚が集まるようになる。また、魚礁は、その複雑な構造によって魚類が外敵から身を守るのに適しており、更にその周りには渦流が生じるので、魚類が滞在し易くなる。このような自然の魚礁は数が限られているので、コンクリートブロック、岩石、土俵、バス、電車等の老朽車両、及び廃船等を海底に沈めて人工魚礁を作っていた。
【０００３】
ここで、コンクリートブロック等の壁面又は枠体で形成された人工魚礁は、単に魚が通過できる構造であり、この内部に魚巣機能を持たせたものであった。また、このような人工魚礁に餌料生物や好気性の微生物等が多く生産でき、また生息できるようにしたものも知られている。例えば、既設又は新設のコンクリート製又は鋼製の人工魚礁本体に、カキ殻等の貝殻を入れた樹脂製又は鋼製の通水ケースを取付けた人工魚礁が知られている（例えば、特許文献１参照）。
また、通水性の筒状ケース内にホタテ貝殻等の貝殻を最中合わせにして順次積層して充填し、更に筒状ケースに沿って樹脂製又は鋼製の補強材を設けた単位ケースの集合体からなる人工魚礁も知られている（例えば、特許文献２参照）。
【０００４】
【特許文献１】
特許第２６９５７３５号公報
【特許文献２】
特許第３２１５３１０号公報
【０００５】
【発明が解決しようとする課題】
しかしながら、特許文献１の人工魚礁では、魚礁本体とカキ殻等の貝殻を入れた通水ケースとを別々に製造して取付けるので取付具を必要とし、また、二度手間となり、経済的ではないという問題があった。また、小生物棲息空間を十分に形成するためには、通水ケース内に大量の貝殻を入れなければならず、通水ケースを補強するためにコストが高くなるという問題があった。
また、特許文献２の人工魚礁では、通水ケース内に貝殻を最中合わせに充填しなければならず、非効率であり、人工魚礁制作及び組立の生産性が劣るので非経済的であるという問題があった。
本発明はかかる事情に鑑みてなされたもので、簡単に製造でき、集魚効果の高い人工魚礁を提供することを目的とする。
【０００６】
【課題を解決するための手段】
前記目的に沿う本発明に係る人工魚礁は、鋼製の複数の通水ケースの周縁部を連結して形成した人工魚礁であって、
前記通水ケースは厚みを有する矩形板状（長方形及び正方形を含む）となって、外側の輪郭を形成する矩形の外枠部と、内側開口部を形成する内枠部と、前記外枠部と前記内枠部で形成される部屋を表裏からそれぞれ覆う多孔板とを有し、しかも、前記部屋内には、（最長の部分が）３〜２５ｃｍの大きさの多数の充填物が充填されて、魚の餌となる生物を棲息させる小生物棲息空間が形成されている。
これによって、部屋内に充填された充填物の隙間や充填物そのものの小空間によって形成される小生物棲息空間に、餌料生物や好気性の微生物等が生息でき、集魚効果の高い魚礁を簡単に製造することができる。また、通水ケースを連結するだけで人工魚礁を形成できるので、従来のように、それぞれに取付具を設けた魚礁本体とカキ殻等の貝殻を入れた通水ケースとを別々に製造する必要もなく、二度手間とならないので、効率的かつ経済的である。
【０００７】
本発明に係る人工魚礁において、前記内側開口部は矩形であって、前記外枠部及び前記内枠部を形鋼材で形成してもよい。これによって、通水ケースの形成が容易である。ここで、形鋼材とは、一定の型の断面を持つように圧延して作った長い構造用鋼材であって、その断面形状によって、Ｈ形鋼、山形鋼、Ｉ形鋼、溝形鋼、球平形鋼、及びＴ形鋼等がある。
本発明に係る人工魚礁において、前記多孔板のいずれか一方は、取り外し可能に形成してもよい。これによって、充填物が入れ易くなる。ここで、多孔板を取り外し可能とするためには、多孔板と外枠部及び／又は内枠部とをそれぞれボルトによって固定してもよく、万力等の挟持部材によって多孔板を表裏方向（通水ケースの表側及び背面側ともいう）から挟み込んでもよい。
【０００８】
本発明に係る人工魚礁において、前記充填物の５０容積％以上は、ホタテ貝の貝殻又はホタテ貝以外の貝殻からなってもよい。これによって、廃棄物となる貝殻を利用でき、経済的である。また、貝殻は、自然界のものであるので環境を汚さず、また、餌料生物や好気性の微生物等が棲息し易い。ここで、ホタテ貝以外の貝としては、あこや貝、カキ、ハマグリ、アワビ、サザエ、アサリ、及びシジミ等があり、これらの貝殻を使用することができる。
本発明に係る人工魚礁において、前記充填物の５０容積％以上は、竹筒、使用済飲料容器、及びパイプのいずれか１又は２以上からなる筒状物としてもよい。これによって、産業廃棄物となる筒状物を利用できると共に、経済的である。また、筒状物内部に餌料生物が棲息し易い。ここで、筒状物は、鉄、アルミニウム等の金属製、竹等の木製、及びプラスチック等の樹脂製のいずれであってもよいが、海洋環境保全の観点から筒状物を浸漬した際に、有害成分が溶出しないものが望ましい。
本発明に係る人工魚礁において、前記充填物には、自然石、人工石、瓦、及び煉瓦屑のいずれか１又は２以上からなる重し材が含まれてもよい。これによって、人工魚礁が、潮流、漂流物、漁具、及び流氷等の外界からの力によって流され難くなる。ここで、重し材は、前記のように有害成分が溶出しないものが望ましい。
【０００９】
本発明に係る人工魚礁において、複数の前記通水ケースを正方形状に４つ組しながら水平及び垂直方向に延設して全体を形成してもよい。また、複数の前記通水ケースが三角形又は六角形を形成しながら水平及び垂直方向に延設して全体を形成してもよい。これによって、人工魚礁を立体的に組み立てることができ、巨大な魚礁を形成できる。
【００１０】
【発明の実施の形態】
続いて、添付した図面を参照しつつ、本発明を具体化した実施の形態につき説明し、本発明の理解に供する。
ここで、図１、図２はそれぞれ本発明の第１の実施の形態に係る人工魚礁の正面図、平面図、図３は同人工魚礁の多孔板を除いた通水ケースの背面図、図４（Ａ）、（Ｂ）はぞれぞれ同人工魚礁の通水ケースの表裏を覆う多孔板の正面図、図５は同人工魚礁の変形例の正面図、図６は本発明の第２の実施の形態に係る人工魚礁の平面図、図７は同人工魚礁の多孔板を除いた通水ケースの背面図、図８（Ａ）（Ｂ）はそれぞれ同人工魚礁を構成する通水ケースの表裏を覆う多孔板の正面図、図９は本発明の第３の実施の形態に係る人工魚礁の平面図である。
【００１１】
図１〜図５を参照して、本発明の第１の実施の形態に係る人工魚礁１０について説明する。
図１及び図２に示すように、人工魚礁１０は、鋼製の複数、例えば４つの実質的に同形状の通水ケース１１〜１４を縦置きして正方形状に４つ組し、隣り合う通水ケース１１〜１４の周縁部をそれぞれ連結して形成されている。通水ケース１１は、厚みを有する矩形板状となって、外側の輪郭を形成する矩形の外枠部１５と、内側開口部１６を形成する内枠部１７と、外枠部１５と内枠部１７で形成される部屋１８を表裏（正面側と背面側）からそれぞれ覆う多孔板１９、２０とを有している。ここで、通水ケース１１の部屋１８内には最長部分が３〜２５ｃｍ、例えば７ｃｍ以上の多数の充填物、例えばホタテ貝の貝殻２２が充填されて、貝殻２２の隙間には、魚の餌となる生物を棲息させる小生物棲息空間２３が形成されている。また、多孔板１９、２０には、貝殻２２の大きさに合わせて、７ｃｍ未満、例えば直径５ｃｍの円形状の通水孔２１が多数穿設されている。なお、部屋１８内に充填する充填物の最長部分の大きさによって、充填物が抜け出ない大きさの通水孔を穿設することができる。また、通水ケース１２〜１４も、通水ケース１１と同様に形成されている。
【００１２】
図３に示すように、通水ケース１１の外枠部１５は、形鋼材、例えば、１００ｍｍ（一方の辺の長さ）×１００ｍｍ（他方の辺の長さ）×６ｍｍ（厚み）の山形鋼（アングル）を用いて、外形を高さ１００〜２００ｃｍ、幅１００〜２００ｃｍ、厚み５〜３０ｃｍ、例えば、高さ１４０ｃｍ、幅１２０ｃｍ、厚み１０ｃｍに形成されている。ここで、外枠部１５は、長さ１００ｃｍの第１の山形鋼２４、２５及び長さ１４０ｃｍの第２の山形鋼２６、２７を使用して形成されている。第１及び第２の山形鋼２４〜２６の１００ｍｍの一方のフランジ部分（一方の辺部）３２〜３５によって、通水ケース１１の厚みが１０ｃｍに形成されている。ここで、第１の山形鋼２４、２５は、水平方向にそれぞれ上下に隙間を空けて配置され、第２の山形鋼２６、２７は、垂直方向に左右に隙間を空けて配置されている。しかも、第１及び第２の山形鋼２４〜２７のそれぞれの他方のフランジ部分２８〜３１は、正面側が同一平面となるように配置され、また、それぞれの一方のフランジ部分３２〜３５は、背面側に突出し、しかも、外枠部１５の内側壁となるように配置されている。外枠部１５は、第１の山形鋼２４、２５の両端を第２の山形鋼２６、２７の両端部にそれぞれ溶接して形成される。外枠部１５の内側には、フランジ部分３２〜３５によって囲まれる、高さが１２０ｃｍ、幅が１００ｃｍ、厚みが１０ｃｍである空間が形成されている。
【００１３】
更に、外枠部１５内側の空間の中央部には、１００ｃｍ（長さ）×１０ｃｍ（幅）×６ｍｍ（厚み）の寸法の２枚の第１の平鋼３６、３７が、１００ｃｍ×１０ｃｍの長方形の面が第１の山形鋼２４、２５のフランジ部分３２、３３と平行となるように、フランジ部分３２、３３の間にそれぞれ上下に所定の間隔、例えば７０ｃｍを有して水平配置されている。また、第１の平鋼３６、３７の間には、７０ｃｍ×１０ｃｍ×６ｍｍの寸法の２枚の第２の平鋼３８、３９が、７０ｃｍ×１０ｃｍの長方形の面が第２の山形鋼２６、２７のフランジ部分３４、３５と平行となるように、第１の平鋼３６、３７の間にそれぞれ垂直に所定の間隔、例えば５０ｃｍを有して配置されている。第１の平鋼３６、３７の両端は、それぞれ第２の山形鋼２６、２７と溶接され、第２の平鋼３８、３９の両端は、第１の平鋼３６、３７と溶接されている。ここで、第１の平鋼３６、３７及び第２の平鋼３８、３９によって、内枠部１７が形成され、内枠部１７の内側には、高さ７０ｃｍ、幅５０ｃｍ、厚さ１０ｃｍの内側開口部１６が正面視して矩形に形成されている。なお、内側開口部の大きさは、正面視して外枠部内側の面積の５〜８０％、好ましくは１０〜５０％に形成するのがよい。また、内側開口部は１つとは限らず、２つ以上設けてもよい。
【００１４】
更に、通水ケース１１の外枠部１５と内枠部１７で形成される部屋１８を表裏からそれぞれ覆う多孔板１９、２０は、図４（Ａ）、（Ｂ）に示すように、１２０ｃｍ×１００ｃｍ×６ｍｍの平鋼を使用して形成されている。更に、多孔板１９、２０は、その外側周辺をそれぞれ外枠部１５の内側壁に合わせて配置した際に、内側開口部１６と一致する位置に、７０ｃｍ×５０ｃｍの矩形の開口部４０、４１を設けている。また、多孔板１９、２０には、例えば、直径が５ｃｍの円形状の通水孔２１が隙間を空けて多数形成され、通水ケース１１の部屋１８内に充填する貝殻２２が通水孔２１から抜け出ないようになっている。なお、通水孔の形状は円形状としたが、この限りではない。
【００１５】
ここで、通水ケース１１の表を覆う多孔板１９は、外枠部１５の内側壁と内枠部１７の表側に溶接して取付けられている。また、通水ケース１１の裏を覆う多孔板２０は、図示しないボルトを介して取付けられている。ここで、第１の山形鋼２４、２５には、このボルトを通す第１の貫通孔４２を有する平鋼で形成された第１の取付部４３が、ぞれぞれのフランジ部分２８、２９と平行になるように、しかも外枠部１５の内側壁の外側に、各フランジ部分３２、３３の両側に所定の間隔で２つ設けられている（図３参照）。また、多孔板２０には、４つの第１の取付部４３と一致する位置にボルトを通す第２の貫通孔４４を有する平鋼で形成された第２の取付部４５を有し、通水ケース１１の第１の取付部４３の第１の貫通孔４２と多孔板２０の第２の取付部４５の第２の貫通孔４４とを一致させて配置し、対となる第１及び第２の貫通孔４２、４４にそれぞれボルトを通して、多孔板２０を通水ケース１１に取り外し可能に取付けることができる。表裏の多孔板１９、２０が取付けられた外枠部１５及び内枠部１７によって、ケース本体が構成される。
【００１６】
更に、通水ケース１１には、通水ケース１４と連結するために、第２の山形鋼２６のフランジ部分３０裏側に所定の間隔を空けて上下に２つの連結具４７、４８が設けられ、更に、通水ケース１２と連結するために、第２の山形鋼２７のフランジ部分３１裏側に所定の間隔を空けて上下に２つの連結具４９、５０が設けられている。なお、連結具の数は２つに限定されない。ここで、連結具４７は、基部がフランジ部分３０に固定される板状の固定部５１と、固定部５１の先部に取付けられ、固定部５１となす角度が背面側に４５度となる板状の連結部５２と、固定部５１の両側部に取付けられ、連結部５２を補強する板状のリブ５３とをそれぞれ有している。なお、連結部５２には、隣り合う通水ケース１４の連結部５２をボルト５４で連結するための第１の連結孔５５が設けられている。なお、連結具４８〜５０は、連結具４７と同様に形成される。
ここで、連結具４７、４８（連結具４９、５０も同様）は、通水ケース１１を立設配置した際に、連結部５２が通水ケース１１の背面側に向けて４５度の角度になるように、第２の山形鋼２６（２７）に溶接して取付けられている。
【００１７】
更に、通水ケース１１は、人工魚礁１０を垂直方向に延設するための延設具５６、５７を２つ有している。延設具５６、５７は同一形状であり、それぞれＬ字型の板材で形成され、Ｌ字の一方には他の通水ケースとボルト５４（図５参照）で連結するための第２の連結孔５８が設けられ、他方はフランジ部分２８、２９の背面側に溶接される。延設具５６は、第２の連結孔５８が垂直方向に開口し、しかも、通水ケース１１の背面側に配置され、更に延設具５６が通水ケース１１を立設した際に第１の山形鋼２４の上端よりも上に突出するように配置して、第２の連結孔５８のない基側を溶接する。また、延設具５７は、第２の連結孔５８が垂直方向に開口すると共に、通水ケース１１の背面側に配置され、更に延設具５７が通水ケース１１を立設した際に第１の山形鋼２５よりも下側に突出するように配置して、第２の連結孔５８のない基側を第１の山形鋼２５のフランジ部分２９の背面側に溶接する。
【００１８】
次に、通水ケース１１の製造方法について説明する。
まず、第１の山形鋼２４、２５及び第２の山形鋼２６、２７をそれぞれ所定の位置に配置して溶接し、外枠部１５を形成する。外枠部１５の内部に第１の平鋼３６、３７、及び第２の平鋼３８、３９をそれぞれ所定の位置に配置して溶接し、内枠部１７を形成する。ここで、第１の平鋼３６、３７及び第２の平鋼３８、３９の内側の空間によって、内側開口部１６が形成される。次に、外枠部１５及び内枠部１７の正面側に多孔板１９を内側開口部１６と開口部４０を一致させて溶接する。また、連結具４７、４８をそれぞれの連結部５２を背面側に向けて、第２の山形鋼２６のフランジ部分３０の背面側に所定の間隔を空けて溶接し、連結具４９、５０をそれぞれの連結部５２を背面側に向けて、第２の山形鋼２７のフランジ部分３１の背面側に所定の間隔を空けて溶接する。更に、延設具５６を第１の山形鋼２４のフランジ部分２８の背面側に、延設具５７を第１の山形鋼２５のフランジ部分２９の背面側にそれぞれ溶接する。
【００１９】
ここで、多孔板１９を下に向けて底面とし、外枠部１５及び内枠部１７によって形成された空間、つまり部屋１８に、７ｃｍ以上の多数のホタテ貝の貝殻２２をランダム（規則性をもたず、適当）に充填する。なお、従来の人工魚礁のように人手により最中合わせにしないので、効率的で経済性を高めることができる。貝殻２２の隙間によって、魚の餌となる生物を棲息させる小生物棲息空間２３が十分な大きさに形成される。貝殻２２は、通水ケース１１を立設配置する際に、部屋１８の上部に大きな、例えば、部屋１８の体積の１０％以上の隙間が開かない程度に充填される。貝殻２２を充填した後、外枠部１５の第１の取付部４３と多孔板２０の第２の取付部４５との位置を合わせ、ボルトによって取り外し可能に取付ける。
【００２０】
なお、部屋１８に充填する充填物としては、充填物の１００容積％をホタテ貝の貝殻２２としたが、充填物の５０容積％以上であればよく、更には、ホタテ貝以外の貝殻によって５０容積％以上充填してもよい。これによって、廃棄物となる貝殻を有効に利用すると共に、廃棄物の処理もできるので経済的である。また、貝殻は、自然界のものであるので環境を汚さず、また、餌料生物や好気性の微生物等が棲息し易い。また、部屋１８に充填する充填物の５０容積％以上を、竹筒、使用済飲料容器、パイプのいずれか１又は２以上からなる筒状物としてもよい。これにより、産業廃棄物となる筒状物を利用できるので、経済的である。また、筒状物内部には、餌料生物が棲息し易いという利点がある。更に、充填物には、自然石、人工石、瓦、煉瓦屑のいずれか１又は２以上からなる重し材を含んでもよく、人工魚礁が、潮流、漂流物、漁具、及び流氷等の外界からの力によって流され難くすることができる。
【００２１】
通水ケース１２〜１４も通水ケース１１と同様にして製造して、通水ケース１１〜１４を、それぞれ背面側を内側として平面視して正方形状となるように４つ組して配置し、隣り合う通水ケース１２〜１４の連結具４７〜５０をボルト５４によって連結して、人工魚礁１０を製造する。
人工魚礁１０は通水ケース１１〜１４を連結せずに輸送して、人工魚礁１０を設置する現場付近でそれぞれを連結して製造できるので、輸送効率がよくなり、コストも安くできる。
ここで、図５に示すように、人工魚礁１０を２つ垂直方向に延設して、下側に配置された人工魚礁１０の延設具５６と上側に配置された人工魚礁１０の延設具５７をそれぞれの第２の連結孔５８を一致させて、第２の連結孔５８にボルト５４を挿入して連結することもできる。
【００２２】
図６〜図８を参照して、本発明の第２の実施の形態に係る人工魚礁６０について説明する。なお、人工魚礁１０と同一の構成要素については同一の番号を付してその詳しい説明を省略する。
図６に示すように、人工魚礁６０は、通水ケース６１を正方形状に４つ組にし、隣り合う通水ケース６１の周縁部をそれぞれ連結して形成した魚礁ユニット６２を、水平方向に２つ延設している。魚礁ユニット６２は、前記した人工魚礁１０と実質的に同じ構成となっており、魚礁ユニット６２を水平に連結するために、通水ケース６１には、前記した通水ケース１１の構成に、更に通水ケース６１を向かい合わせに連結するための延設部６３が設けられている。すなわち人工魚礁６０は、２つの魚礁ユニット６２を向かい合わせに配置し、向かい合わせとなった対となる通水ケース６１の延設部６３をボルト６３ａによって連結して形成される。以下、詳しく説明する。
【００２３】
通水ケース６１は、図７及び図８（Ａ）、（Ｂ）に示すように、外枠部１５ａの第２の山形鋼２６、２７と内枠部１７ａの第１の平鋼３６、３７とで形成される枠体内側の４隅に、１００×１００×６ｍｍの山形鋼を１０ｃｍに切断した第３の山形鋼６４を通水ケース６１の表裏方向に開放となる空間を有するように溶接し、ボルト挿入部６５が形成されている。また、通水ケース６１の表裏を覆う多孔板６６、６７は、１２０ｃｍ×１００ｃｍ×６ｍｍの平鋼で形成され、更にそれらの中央部には、それぞれ７０ｃｍ×５０ｃｍの矩形の開口部６８、６９が設けられている。また、多孔板６６には、多孔板６６を通水ケース６１表側に合わせて配置した際に、通水ケース６１のボルト挿入部６５と一致する位置を除いて多数の通水孔２１が穿設され、ボルト挿入部６５と一致する位置の中央部には、ボルト６３ａを通す延設孔７０が穿設された延設部６３が設けられている。
【００２４】
また、多孔板６７には、多孔板６７を通水ケース６１の裏側に合わせて配置した際に、通水ケース６１のボルト挿入部６５と一致する位置に、矩形に穿設されたボルト挿入孔７１が設けられ、その他の部分には多数の通水孔２１が穿設されている。また、多孔板６７には、通水ケース６１の４つの取付部４３と一致する位置にボルトを通す第２の貫通孔４４を有する第２の取付部４５を有し、第１の取付部４３の第１の貫通孔４２と多孔板６７の第２の取付部４５の第２の貫通孔４４とを一致させて、それぞれにボルトを通して、多孔板６７を通水ケース６１に取り外し可能に取付けることができる。
【００２５】
更に、通水ケース６１は、ボルト挿入部６５を除いて、外枠部１５ａと内枠部１７ａで形成される部屋７２内に、例えば、図示しない７ｃｍ以上の多数のホタテ貝の貝殻からなる充填物が充填されて、これらの貝殻の隙間には、魚の餌となる生物を棲息させる小生物棲息空間が形成される。
通水ケース６１は、通水ケース１１と同様に製造され、隣り合う通水ケース６１の連結具４７〜５０をボルト５４によって連結して、魚礁ユニット６２を製造する。更に、２つの魚礁ユニット６２は、それぞれ４つ組された通水ケース６１のいずれか１を向かい合わせに配置し、向かい合わせとなった通水ケース６１のそれぞれ４つの延設部６３の延設孔７０に、一方の通水ケース６１のボルト挿入孔７１からボルト６３ａを通し、連結固定している。
なお、人工魚礁６０には、更に垂直方向、又は水平方向に魚礁ユニット６２を延設し、巨大な人工魚礁を製造することもできる。また、通水ケースを４つ組して魚礁ユニットを形成する場合、水平方向に延設する箇所には、通水ケース６１を配置し、延設しない箇所には通水ケース１１を配置してもよい。
【００２６】
図９を参照して、本発明の第３の実施の形態に係る人工魚礁７３について説明する。なお、人工魚礁１０と同一の構成要素については同一の番号を付してその詳しい説明を省略する。
人工魚礁７３は、鋼製の複数、例えば６つの通水ケース７４をそれぞれ縦置きし、平面視して六角形状に配置し、隣り合う通水ケース７４の周縁部をそれぞれ連結している。通水ケース７４は、連結具４７〜５０を除いて、通水ケース１１と同様に形成されている。通水ケース７４に取付ける連結具７５は、基部がフランジ部分３０、３１に固定される板状の固定部７６と、固定部７６の先部に取付けられ、固定部７６となす角度が背面側に６０度となる板状の連結部７７と、固定部７６の両側部に取付けられ、連結部７７を補強する板状のリブ７８とを有し、更に連結部７７には、隣り合う通水ケース７４の連結部７７をそれぞれボルト５４で連結するための第１の連結孔７９が設けられている。ここで、６つの通水ケース７４を六角形状に配置し、隣り合う通水ケース７４の連結具７５のそれぞれの第１の連結孔７９をボルト５４によって連結して、人工魚礁７３を製造する。また、人工魚礁７３は、垂直方向に延設可能である。更に、通水ケース７４に通水ケース６１と同様の延設部を設けることにより、人工魚礁７３を水平方向に延設することもできる。
【００２７】
本発明は、前記した実施の形態に限定されるものではなく、本発明の要旨を変更しない範囲での変更は可能であり、例えば、前記したそれぞれの実施の形態や変形例の一部又は全部を組み合わせて本発明の人工魚礁を構成する場合も本発明の権利範囲に含まれる。
例えば、前記実施の形態の人工魚礁において、外枠部に山形鋼を用いたが、Ｈ形鋼、山形鋼、Ｉ形鋼、溝形鋼、球平形鋼、及びＴ形鋼を用いてもよく、内枠部を形鋼で形成してもよい。また、ケース本体に固定部及び連結部のなす角を４５度又は６０度とした連結具を取付けて正方形状又は六角形状の人工魚礁を製造したが、ケース本体に固定部及び連結部のなす角を３０度とした連結具を取付けて、三角形状の人工魚礁を製造してもよい。また、通水ケースの内側開口部を矩形に形成したが、三角形、円形、五角形以上の多角形に形成してもよい。通水ケースは、どのように組み合わせてもよく、人工魚礁を様々な形とすることができる。また、通水ケースの背面側の多孔板を取り外し可能に形成したが、正面側の多孔板を取り外し可能に形成してもよく、また、表裏の多孔板を取り外し不可能に溶接等によって固定してもよい。通水ケースの表裏を覆う多孔板は、開口部を有する１枚の平鋼で形成したが、複数の平鋼を組み合わせて形成してもよく、これらを補強材によって補強して形成してもよい。また、人工魚礁ユニットを垂直方向に延設する延設具は、通水ケースの上下に１つずつ設けたが、複数設けてもよく、また、延設具に補強のためのリブを設けてもよい。
【００２８】
【発明の効果】
請求項１〜８記載の人工魚礁においては、鋼製の複数の通水ケースの周縁部を連結して形成し、通水ケースは厚みを有する矩形板状となって、外側の輪郭を形成する矩形の外枠部と、内側開口部を形成する内枠部と、外枠部と内枠部で形成される部屋を表裏からそれぞれ覆う多孔板とを有し、しかも、部屋内には、３〜２５ｃｍの大きさの多数の充填物が充填されて、魚の餌となる生物を棲息させる小生物棲息空間が形成されているので、部屋内に充填された充填物の隙間や充填物そのものの小空間によって形成される小生物棲息空間に、餌料生物や好気性の微生物等が生息でき、集魚効果の高い魚礁を簡単に製造することができる。
【００２９】
特に、請求項２記載の人工魚礁においては、内側開口部は矩形であって、外枠部及び内枠部は形鋼材で形成されているので、通水ケースの形成が容易である。
請求項３記載の人工魚礁においては、多孔板のいずれか一方は、取り外し可能に形成されているので、充填物が入れ易くなる。
請求項４記載の人工魚礁においては、充填物の５０容積％以上は、ホタテ貝の貝殻又はホタテ貝以外の貝殻からなるので、廃棄物となる貝殻を利用でき、経済的である。また、貝殻は、自然のものであるので環境を汚さず、また、餌料生物や好気性の微生物等が棲息し易い。
請求項５記載の人工魚礁においては、充填物の５０容積％以上は、竹筒、使用済飲料容器、パイプのいずれか１又は２以上からなる筒状物であるので、産業廃棄物となる筒状物を利用できると共に、経済的である。また、筒状物内部に餌料生物が棲息し易い。
【００３０】
特に、請求項６記載の人工魚礁においては、充填物には、自然石、人工石、瓦、煉瓦屑のいずれか１又は２以上からなる重し材が含まれているので、人工魚礁が、潮流、漂流物、漁具、及び流氷等の外界からの力によって流され難くなる。
請求項７記載の人工魚礁においては、複数の通水ケースを正方形状に４つ組しながら水平及び垂直方向に延設されて全体が形成されているので、人工魚礁を立体的に組み立てることができ、巨大な魚礁を形成できる。
請求項８記載の人工魚礁においては、複数の通水ケースが三角形又は六角形を形成しながら水平及び垂直方向に延設されて全体が形成されているので、人工魚礁を立体的に組み立てることができ、巨大な魚礁を形成できる。
【図面の簡単な説明】
【図１】本発明の第１の実施の形態に係る人工魚礁の正面図である。
【図２】同人工魚礁の平面図である。
【図３】同人工魚礁の多孔板を除いた通水ケースの背面図である。
【図４】（Ａ）、（Ｂ）はそれぞれ同人工魚礁を構成する通水ケースの表裏を覆う多孔板の正面図である。
【図５】同人工魚礁の変形例の正面図である。
【図６】本発明の第２の実施の形態に係る人工魚礁の平面図である。
【図７】同人工魚礁の多孔板を除いた通水ケースの背面図である。
【図８】（Ａ）（Ｂ）はそれぞれ同人工魚礁を構成する通水ケースの表裏を覆う多孔板の正面図である。
【図９】本発明の第３の実施の形態に係る人工魚礁の平面図である。
【符号の説明】
１０：人工魚礁、１１〜１４：通水ケース、１５、１５ａ：外枠部、１６：内側開口部、１７、１７ａ：内枠部、１８：部屋、１９、２０：多孔板、２１：通水孔、２２：貝殻（充填物）、２３：小生物棲息空間、２４、２５：第１の山形鋼、２６、２７：第２の山形鋼、２８〜３５：フランジ部分、３６、３７：第１の平鋼、３８、３９：第２の平鋼、４０、４１：開口部、４２：第１の貫通孔、４３：第１の取付部、４４：第２の貫通孔、４５：第２の取付部、４７〜５０：連結具、５１：固定部、５２：連結部、５３：リブ、５４：ボルト、５５：第１の連結孔、５６、５７：延設具、５８：第２の連結孔、６０：人工魚礁、６１：通水ケース、６２：魚礁ユニット、６３：延設部、６３ａ：ボルト、６４：第３の山形鋼、６５：ボルト挿入部、６６、６７：多孔板、６８、６９：開口部、７０：延設孔、７１：ボルト挿入孔、７２：部屋、７３：人工魚礁、７４：通水ケース、７５：連結具、７６：固定部、７７：連結部、７８：リブ、７９：第１の連結孔
【図１】
2005034032.tif 000003
【図２】
2005034032.tif 000004
【図３】
2005034032.tif 000005
【図４】
2005034032.tif 000006
【図５】
2005034032.tif 000007
【図６】
2005034032.tif 000008
【図７】
2005034032.tif 000009
【図８】
2005034032.tif 000010
【図９】
2005034032.tif 000011